(57)【要約】【課題】電子カメラの撮影画像のぶれ、画質低下を適切に抑える【解決手段】電子カメラ１は、明るさを検出する輝度検出手段２２、２３、１１と、被写体像を撮像する撮像素子２２と、輝度検出手段２２、２３、１１で検出された明るさに応じて撮像素子２２の露光時間および露光感度のいずれか一方を変えて露出を制御する場合、露光時間を手ぶれ限界秒時まで長くする前に露光感度を高める露出制御手段１１とを備える。【選択図】図１
2008193635.tif 000002
【特許請求の範囲】
【請求項１】
明るさを検出する輝度検出手段と、
被写体像を撮像する撮像素子と、
前記輝度検出手段で検出された明るさに応じて前記撮像素子の露光時間および露光感度のいずれか一方を変えて露出を制御する場合、前記露光時間を手ぶれ限界秒時まで長くする前に前記露光感度を高める露出制御手段とを備えることを特徴とする電子カメラ。
【請求項２】
請求項１に記載の電子カメラにおいて、
前記露出制御手段は、前記露光時間を前記手ぶれ限界秒時より１段階短い秒時まで長くしても前記露出が不足する場合に前記露光感度を高めることを特徴とする電子カメラ。
【請求項３】
請求項２に記載の電子カメラにおいて、
前記露出制御手段は、前記露光感度を第１感度まで高めても前記露出が不足する場合に、前記露光時間を前記手ぶれ限界秒時まで、または前記手ぶれ限界秒時より長くすることを特徴とする電子カメラ。
【請求項４】
請求項３に記載の電子カメラにおいて、
前記露出制御手段は、前記露光時間を前記手ぶれ限界秒時より長い被写体ぶれ限界秒時まで長くする前に前記露光感度を前記第１感度からさらに高めることを特徴とする電子カメラ。
【請求項５】
請求項４に記載の電子カメラにおいて、
前記露出制御手段は、前記露光時間を前記被写体ぶれ限界秒時より１段階短い秒時まで長くしても前記露出が不足する場合に前記露光感度を前記第１感度から高めることを特徴とする電子カメラ。
【請求項６】
請求項５に記載の電子カメラにおいて、
前記露出制御手段は、前記露光感度を前記第１感度から感度限界値より低い第２感度まで高めても前記露出が不足する場合に、前記露光時間を前記被写体ぶれ限界秒時まで、または前記被写体ぶれ限界秒時より長くすることを特徴とする電子カメラ。
【請求項７】
請求項６に記載の電子カメラにおいて、
前記露出制御手段は、前記露光時間を限界値まで長くしても前記露出が不足する場合に、前記露光感度を前記第２感度からさらに高めることを特徴とする電子カメラ。
【請求項８】
請求項３に記載の電子カメラにおいて、
前記露出制御手段は、被写体を照明する照明装置の発光が許可されている場合、前記露光感度を前記第１感度に維持することを特徴とする電子カメラ。
【請求項９】
請求項８に記載の電子カメラにおいて、
前記露出制御手段は、前記露光感度を前記第１感度に維持したままで前記露出が不足する場合に、前記露光時間を前記被写体ぶれ限界秒時より長くすることを特徴とする電子カメラ。
【請求項１０】
明るさを検出する輝度検出手段と、
被写体像を撮像する撮像素子と、
前記輝度検出手段で検出された明るさに応じて前記撮像素子の露光時間および露光感度のいずれか一方を変えて露出を制御する場合、前記露光時間を被写体ぶれ限界秒時まで長くする前に前記露光感度を高める露出制御手段とを備えることを特徴とする電子カメラ。
【請求項１１】
請求項１０に記載の電子カメラにおいて、
前記露出制御手段は、前記露光時間を前記被写体ぶれ限界秒時より１段階短い秒時まで長くしても前記露出が不足する場合に前記露光感度を高めることを特徴とする電子カメラ。
【請求項１２】
請求項１１に記載の電子カメラにおいて、
前記露出制御手段は、前記露光時間が前記被写体ぶれ限界秒時より１段階短い秒時においては、前記露光感度を高める範囲を前記第１感度から感度限界値より低い第２感度までに制限することを特徴とする電子カメラ。
【発明の詳細な説明】
【技術分野】
【０００１】
本発明は、電子カメラに関する。
【背景技術】
【０００２】
撮影時の手ぶれの影響を排するための技術が知られている（特許文献１参照）。従来技術では、標準プログラム線図に代えて手ぶれ防止プログラム線図が用いられる。
【０００３】
【特許文献１】特開２００５−２８６７９０号公報
【発明の開示】
【発明が解決しようとする課題】
【０００４】
手ぶれ防止プログラム線図によれば、標準プログラム線図と比べて相対的に速いシャッタ速度を設定するため、標準プログラム線図と比べて相対的に高い感度が設定される。一律に感度を高める場合、感度を高めることに伴ってノイズが増加するため、画質の低下を招くという問題がある。
【課題を解決するための手段】
【０００５】
（１）本発明による電子カメラは、明るさを検出する輝度検出手段と、被写体像を撮像する撮像素子と、輝度検出手段で検出された明るさに応じて撮像素子の露光時間および露光感度のいずれか一方を変えて露出を制御する場合、露光時間を手ぶれ限界秒時まで長くする前に露光感度を高める露出制御手段とを備えることを特徴とする。
（２）請求項１に記載の電子カメラにおいて、露出制御手段は、露光時間を手ぶれ限界秒時より１段階短い秒時まで長くしても露出が不足する場合に露光感度を高めることが好ましい。
（３）請求項２に記載の電子カメラにおいて、露出制御手段は、露光感度を第１感度まで高めても露出が不足する場合に、露光時間を手ぶれ限界秒時まで、または手ぶれ限界秒時より長くすることが好ましい。
（４）請求項３に記載の電子カメラにおいて、露出制御手段は、露光時間を手ぶれ限界秒時より長い被写体ぶれ限界秒時まで長くする前に露光感度を第１感度からさらに高めることが好ましい。
（５）請求項４に記載の電子カメラにおいて、露出制御手段は、露光時間を被写体ぶれ限界秒時より１段階短い秒時まで長くしても露出が不足する場合に露光感度を第１感度から高めることが好ましい。
（６）請求項５に記載の電子カメラにおいて、露出制御手段は、露光感度を第１感度から感度限界値より低い第２感度まで高めても露出が不足する場合に、露光時間を被写体ぶれ限界秒時まで、または被写体ぶれ限界秒時より長くすることが好ましい。
（７）請求項６に記載の電子カメラにおいて、露出制御手段は、露光時間を限界値まで長くしても露出が不足する場合に、露光感度を第２感度からさらに高めることが好ましい。
（８）請求項３に記載の電子カメラにおいて、露出制御手段は、被写体を照明する照明装置の発光が許可されている場合、露光感度を第１感度に維持することが好ましい。
（９）請求項８に記載の電子カメラにおいて、露出制御手段は、露光感度を第１感度に維持したままで露出が不足する場合に、露光時間を被写体ぶれ限界秒時より長くすることが好ましい。
（１０）本発明による電子カメラは、明るさを検出する輝度検出手段と、被写体像を撮像する撮像素子と、輝度検出手段で検出された明るさに応じて撮像素子の露光時間および露光感度のいずれか一方を変えて露出を制御する場合、露光時間を被写体ぶれ限界秒時まで長くする前に露光感度を高める露出制御手段とを備えることを特徴とする。
（１１）請求項１０に記載の電子カメラにおいて、露出制御手段は、露光時間を被写体ぶれ限界秒時より１段階短い秒時まで長くしても露出が不足する場合に露光感度を高めることが好ましい。
（１２）請求項１１に記載の電子カメラにおいて、露出制御手段は、露光時間が被写体ぶれ限界秒時より１段階短い秒時においては、露光感度を高める範囲を第１感度から感度限界値より低い第２感度までに制限することが好ましい。
【発明の効果】
【０００６】
本発明による電子カメラでは、撮影画像のぶれ、および画質低下を適切に抑えることができる。
【発明を実施するための最良の形態】
【０００７】
以下、図面を参照して本発明を実施するための最良の形態について説明する。図１は、本発明の一実施の形態による電子カメラ１の要部構成を説明するブロック図である。電子カメラ１は、メインＣＰＵ１１によって制御される。
【０００８】
撮影レンズ２１は、撮像素子２２の撮像面上に被写体像を結像させる。撮像素子２２はＣＣＤイメージセンサなどで構成され、撮像面上の被写体像を撮像し、撮像信号を撮像回路２３へ出力する。
【０００９】
ＮＤ(Neutral Density)フィルタ２０は、透過光を所定量（たとえば、アペックス値で２段相当）減衰させる減光部材である。ＮＤフィルタ２０は、駆動機構１９によって撮影レンズ２１の光軸と直交する向きに進退駆動される。ＮＤフィルタ２０が駆動されて被写体光の光路上へ挿入された場合、撮像素子２２へ入射される光量がＮＤフィルタ２０で制限される。一方、ＮＤフィルタ２０が駆動されて被写体光の光路外へ退避された場合、撮像素子２２へ入射される光量は制限されない。駆動機構１９は、メインＣＰＵ１１からの指示に応じてＮＤフィルタ２０に対する進退駆動を行う。
【００１０】
撮像回路２３は、メインＣＰＵ１１からの感度変更指示に応じて撮像感度（露光感度）を所定範囲（たとえばＩＳＯ５０相当〜ＩＳＯ１０００相当）内において所定ステップで変更する。撮像感度は、撮像素子２２に蓄積された電荷の検出感度、もしくは不図示の増幅回路の増幅利得を変化させる被制御量のことをいう。撮像感度値は、相当するＩＳＯ感度値で表される。撮影回路２３はさらに、メインＣＰＵ１１からの撮影指示に応じて、内蔵されるＡ／Ｄ変換回路を用いてアナログ撮像信号をディジタルデータに変換する。
【００１１】
ＡＦ装置１８は、メインＣＰＵ１１からの指示に応じて撮影レンズ２１のフォーカス調節状態を検出し、検出結果に応じて撮影レンズ２１を構成する不図示のフォーカスレンズを光軸方向に進退駆動する。ＡＦ装置１８が検出するフォーカス検出情報は、フォーカス検出の対象とする主要被写体までの距離を示す撮影距離情報として使用できる。
【００１２】
メインＣＰＵ１１は、各ブロックから出力される信号を入力して所定の演算を行い、演算結果に基づく制御信号を各ブロックへ出力する。画像処理回路１２は、たとえばＡＳＩＣとして構成され、撮像回路２３から入力されるディジタル画像信号に対して画像処理を行う。画像処理には、たとえば、輪郭強調や色温度調整（ホワイトバランス調整）処理、画像信号に対するフォーマット変換処理が含まれる。
【００１３】
画像圧縮回路１３は、画像処理回路１２による処理後の画像信号に対して、JPEG方式で所定の圧縮比率の画像圧縮処理を行う。表示画像作成回路１５は、撮像画像を液晶モニタ１６に表示させるための表示データを作成する。
【００１４】
記録媒体３０は、電子カメラ１に対して着脱可能なメモリカードなどで構成される。記録媒体３０には、メインＣＰＵ１１からの指示によって撮影画像のデータおよびその情報を含む画像ファイルが記録される。記録媒体３０に記録された画像ファイルは、メインＣＰＵ１１からの指示によって読み出しが可能である。
【００１５】
バッファメモリ１４は、画像処理前後および画像処理途中のデータを一時的に格納する他、記録媒体３０へ記録する前の画像ファイルを格納したり、記録媒体３０から読み出した画像ファイルを格納したりするために使用される。
【００１６】
操作部材１７は、電子カメラ１の各種ボタンやスイッチ類を含み、レリーズボタンの押下操作、機能設定スイッチの切換操作など、各操作部材の操作内容に応じた操作信号をメインＣＰＵ１１へ出力する。
【００１７】
発光装置２４は、メインＣＰＵ１１からの指示に応じて所定の光量で発光し、被写体を照明する。発光装置２４はメインＣＰＵ１１へ発光準備情報（充電情報など）を送信し、メインＣＰＵ１１は発光装置２４へ発光タイミング（発光指示）および発光量を指示する情報を送信する。発光装置２４の使用が許可されている場合の電子カメラ１は、撮影時に被写体が暗いと判定した場合などに発光装置２４を発光させるように撮影条件を設定する。発光装置２４の使用が禁止されている場合の電子カメラは、発光装置２４を発光させないように撮影条件を設定する。
【００１８】
＜撮影動作＞
メインＣＰＵ１１は、レリーズボタンの半押し操作を示す操作信号が操作部材１７から入力されると、測光を開始させる。具体的には、撮像素子２２に測光用の撮像を行わせ、電荷蓄積後に出力される撮像信号の信号値から被写界の明るさ情報を取得する。メインＣＰＵ１１はさらに、明るさ情報に基づいて露出演算を行い、露出条件を決定する。
【００１９】
半押し操作信号に続いてレリーズボタンの全押しを示す操作信号が操作部材１７から入力されると、メインＣＰＵ１１は撮影動作を開始させる。具体的には、上記決定した露出条件で撮像素子２２に撮影用の電荷蓄積を行わせる。撮像回路２３は、撮影用の電荷蓄積後に撮像素子２２から出力される撮像信号に対し、上述した信号処理を施す。
【００２０】
画像処理回路１２が信号処理を施した画像データを表示画像作成回路１５へ出力することにより、撮影画像が液晶モニタ１６に表示される。また、画像圧縮回路１３によって圧縮処理された画像データが記録媒体３０へ記録される。なお、操作部材１７の操作によって記録媒体３０へ非圧縮状態での記録が指示されている場合には、画像圧縮回路１３での圧縮処理を行わずに記録媒体３０へ記録するように構成されている。
【００２１】
本実施形態は、撮影時の露出条件決定に特徴を有するので、この点を中心にさらに説明する。プログラムオートモードに設定されている電子カメラ１のメインＣＰＵ１１は、被写界の明るさに応じてシャッタ速度、絞り値および感度を自動的に決定する。電子カメラ１の絞り値は、ＮＤフィルタ２０を光路に対して挿抜することによる２つの値が択一的に選ばれる。シャッタ速度は撮像素子２２の電荷蓄積時間（露光時間）に対応し、撮像素子２２の電荷蓄積時間は、いわゆる電子シャッタ方式で制御される。
【００２２】
図２は、発光装置２４の発光禁止が設定されている場合の露出制御を例示するプログラム線図である。図２において、縦軸は被写体輝度（被写界の明るさ）を表し、上側ほど高輝度であり、下側ほど低輝度である。横軸（上）は決定されるシャッタ速度を表し、右側ほど高速であり、左側ほど低速である。横軸（下）は決定される撮像感度を表し、右側ほど高感度であり、左側ほど低感度である。実線は撮影レンズ２１のズームレンズが広角側（ワイド端）に移動されている場合の制御例を表し、破線は撮影レンズ２１のズームレンズが望遠側（テレ端）に移動されている場合の制御例を表す。広角側と望遠側とで制御を変えているのは、広角側と望遠側とで撮影レンズ２１の開放Ｆ値が異なるためである。なお、一点鎖線については後述する。
【００２３】
＜発光装置の発光が禁止されている場合＞
１．ワイド端時の制御
以下、広角側の制御について説明する。
（輝度範囲１）Ｂ≧１１
メインＣＰＵ１１は、レリーズボタンの半押し操作に応じて行う測光の結果、輝度がＢ１１以上であれば駆動機構１９へ指示を送り、撮像素子２２へ導かれる被写体光の光路上へＮＤフィルタ２０を移動させる。これにより、撮像素子２２に入射される光量は、ＮＤフィルタ２０が上記光路外へ移動されている場合（開放絞り時）に比べて、アペックス値で２段相当減少する。
【００２４】
メインＣＰＵ１１はさらに、撮像回路２３へ指示を送り、撮像感度を初期値に設定させる。本実施形態における感度初期値はＳ０とする。感度初期値Ｓ０は、撮像感度の制御範囲のうち低感度側の値（制御限界値でなくてよい）とするのが好ましい。メインＣＰＵ１１は、ＮＤフィルタ２０が上記光路上に挿入されている状態（小絞り）で適正露出が得られるようにシャッタ速度を演算し、実線で示す制御値を得る。
【００２５】
具体的には、Ｂ１１より高輝度側において撮像感度を上記初期値Ｓ０に維持し、シャッタ速度をＴ１'から高輝度側（シャッタ速度としては高速側）の制御限界値まで明るさに応じて変化させることにより、制御露出を決定する。シャッタ速度Ｔ１'はあらかじめプログラムされている値であり、感度Ｓ０および小絞り時においてＢ１１に対応する速度である。
【００２６】
（輝度範囲２）１１＞Ｂ≧８
メインＣＰＵ１１は、レリーズボタンの半押し操作に応じて行う測光の結果、輝度がＢ１１未満であれば駆動機構１９へ指示を送り、撮像素子２２へ導かれる被写体光の光路外へＮＤフィルタ２０を移動させる。これにより、撮像素子２２に入射される光量は、ＮＤフィルタ２０が上記光路上へ移動されている場合（小絞り時）に比べて、アペックス値で２段相当増加する。
【００２７】
メインＣＰＵ１１は、ＮＤフィルタ２０が上記光路外へ退避されている状態（絞り開放）で適正露出が得られるようにシャッタ速度を演算し、実線で示す制御値を得る。具体的にはＢ８〜Ｂ１１の範囲において撮像感度を上記初期値Ｓ０に維持し、シャッタ速度をＴ１から高輝度側（シャッタ速度としては高速側）のシャッタ速度Ｔ０まで明るさに応じて変化させることにより、制御露出を決定する。
【００２８】
シャッタ速度Ｔ１はあらかじめプログラムされている値であり、いわゆる手ぶれ限界秒時と呼ばれる露光時間（たとえば、１／焦点距離で示される）に対応する速度より１段高速側の値とする。また、シャッタ速度Ｔ０は感度Ｓ０および絞り開放時においてＢ１１に対応する速度である。
【００２９】
（輝度範囲３）８＞Ｂ≧６
メインＣＰＵ１１は、輝度範囲３では、適正露出が得られるように撮像感度を演算し、実線で示す制御値を得る。具体的にはＢ６〜Ｂ８の範囲においてシャッタ速度をＴ１に維持し、撮像感度を初期値Ｓ０から低輝度側（撮像感度としては高感度側）の制御範囲内の所定値Ｓ１まで明るさに応じて変化させることにより、制御露出を決定する。
【００３０】
（輝度範囲４）６＞Ｂ≧４
メインＣＰＵ１１は、輝度範囲４では、適正露出が得られるようにシャッタ速度を演算し、実線で示す制御値を得る。具体的にはＢ４〜Ｂ６の範囲において撮像感度を上記Ｓ１に維持し、シャッタ速度をＴ２から高輝度側（シャッタ速度としては高速側）のシャッタ速度Ｔ１まで明るさに応じて変化させることにより、制御露出を決定する。
【００３１】
シャッタ速度Ｔ２はあらかじめプログラムされている値であり、いわゆる被写体ぶれ限界秒時と呼ばれる露光時間に対応する速度より１段高速側の値とする。
【００３２】
（輝度範囲５）４＞Ｂ≧３
メインＣＰＵ１１は、輝度範囲５では、適正露出が得られるように撮像感度を演算し、実線で示す制御値を得る。具体的にはＢ３〜Ｂ４の範囲においてシャッタ速度をＴ２に維持し、撮像感度をＳ１から低輝度側（撮像感度としては高感度側）の制御範囲内の所定値Ｓ２まで明るさに応じて変化させることにより、制御露出を決定する。
【００３３】
（輝度範囲６）３＞Ｂ≧０
メインＣＰＵ１１は、輝度範囲６では、適正露出が得られるようにシャッタ速度を演算し、実線で示す制御値を得る。具体的にはＢ０〜Ｂ３の範囲において撮像感度を上記Ｓ２に維持し、シャッタ速度をＴ３から高輝度側（シャッタ速度としては高速側）のシャッタ速度Ｔ２まで明るさに応じて変化させることにより、制御露出を決定する。シャッタ速度Ｔ３は、低速側の制御限界値である。
【００３４】
（輝度範囲７）０＞Ｂ
メインＣＰＵ１１は、輝度範囲７では、適正露出に近づけるように撮像感度を演算し、実線で示す制御値を得る。具体的にはＢ０以下においてシャッタ速度をＴ３に維持し、撮像感度をＳ２から低輝度側（撮像感度としては高感度側）の制御限界値Ｓ３まで明るさに応じて変化させることにより、制御露出を決定する。
【００３５】
２．テレ端時の制御
以下、望遠側の制御について説明する。
（輝度範囲１'）Ｂ≧１２
メインＣＰＵ１１は、レリーズボタンの半押し操作に応じて行う測光の結果、輝度がＢ１２以上であれば駆動機構１９へ指示を送り、撮像素子２２へ導かれる被写体光の光路上へＮＤフィルタ２０を移動させる。
【００３６】
メインＣＰＵ１１は、撮像感度を初期値Ｓ０に設定させる、ＮＤフィルタ２０が上記光路上に挿入されている状態（小絞り）で適正露出が得られるようにシャッタ速度を演算し、破線で示す制御値を得る。
【００３７】
具体的には、Ｂ１２より高輝度側において撮像感度を上記初期値Ｓ０に維持し、シャッタ速度をＴ１'から高輝度側（シャッタ速度としては高速側）の制御限界値まで明るさに応じて変化させることにより、制御露出を決定する。シャッタ速度Ｔ１'はあらかじめプログラムされている値であり、感度Ｓ０および小絞り時においてＢ１２に対応する速度である。
【００３８】
（輝度範囲２'）１２＞Ｂ≧１０
メインＣＰＵ１１は、レリーズボタンの半押し操作に応じて行う測光の結果、輝度がＢ１２未満であれば駆動機構１９へ指示を送り、撮像素子２２へ導かれる被写体光の光路外へＮＤフィルタ２０を移動させる。
【００３９】
メインＣＰＵ１１は、Ｂ１０〜Ｂ１２の範囲において撮像感度を上記初期値Ｓ０に維持し、シャッタ速度をＴ１'から高輝度側（シャッタ速度としては高速側）のシャッタ速度Ｔ０まで明るさに応じて変化させることにより、制御露出を決定する。
【００４０】
シャッタ速度Ｔ１'はあらかじめプログラムされている値であり、いわゆる手ぶれ限界秒時と呼ばれる露光時間に対応する速度より１段高速側の値とする。テレ端における手ぶれ限界速度が広角端における手ぶれ限界速度と異なるのは、望遠端および広角端間で焦点距離が異なるためである。
【００４１】
（輝度範囲３'）１０＞Ｂ≧８
メインＣＰＵ１１は、輝度範囲３'では、適正露出が得られるように撮像感度を演算し、破線で示す制御値を得る。具体的にはＢ８〜Ｂ１０の範囲においてシャッタ速度をＴ１'に維持し、撮像感度を初期値Ｓ０から低輝度側（撮像感度としては高感度側）の制御範囲内の所定値Ｓ１まで明るさに応じて変化させることにより、制御露出を決定する。
【００４２】
（輝度範囲４'）８＞Ｂ≧５
メインＣＰＵ１１は、輝度範囲４'では、適正露出が得られるようにシャッタ速度を演算し、破線で示す制御値を得る。具体的にはＢ５〜Ｂ８の範囲において撮像感度を上記Ｓ１に維持し、シャッタ速度をＴ２から高輝度側（シャッタ速度としては高速側）のシャッタ速度Ｔ１'まで明るさに応じて変化させることにより、制御露出を決定する。
【００４３】
シャッタ速度Ｔ２はあらかじめプログラムされている値であり、広角端における制御と同じ速度である。
【００４４】
（輝度範囲５'）５＞Ｂ≧４
メインＣＰＵ１１は、Ｂ４〜Ｂ５の範囲においてシャッタ速度をＴ２に維持し、撮像感度をＳ１から低輝度側（撮像感度としては高感度側）の制御範囲内の所定値Ｓ２まで明るさに応じて変化させることにより、破線で示す制御露出を決定する。
【００４５】
（輝度範囲６'）４＞Ｂ≧１
メインＣＰＵ１１は、Ｂ１〜Ｂ４の範囲において撮像感度を上記Ｓ２に維持し、シャッタ速度をＴ３から高輝度側（シャッタ速度としては高速側）のシャッタ速度Ｔ２まで明るさに応じて変化させることにより、破線で示す制御露出を決定する。
【００４６】
（輝度範囲７'）１＞Ｂ
メインＣＰＵ１１は、Ｂ１以下においてシャッタ速度をＴ３に維持し、撮像感度をＳ２から低輝度側（撮像感度としては高感度側）の制御限界値Ｓ３まで明るさに応じて変化させることにより、破線で示す制御露出を決定する。
【００４７】
（輝度範囲２Ａ）１０＞Ｂ≧９
電子カメラ１が手ぶれ抑制のための防振機構を備え、この防振機構がオンされている場合には、以下の輝度範囲２Ａを行うとよい。メインＣＰＵ１１は、Ｂ９〜Ｂ１０の範囲において撮像感度を上記初期値Ｓ０に維持し、シャッタ速度をＴ１から高輝度側（シャッタ速度としては高速側）のシャッタ速度Ｔ０まで明るさに応じて変化させることにより、一点鎖線で示す制御露出を決定する。
【００４８】
シャッタ速度Ｔ１はあらかじめプログラムされている値であり、広角端における制御と同じ速度である。防振機構が動作する場合は手ぶれの影響が抑制されるため、望遠時であっても広角時と共通の手ぶれ限界速度を用いる。この場合、上記輝度範囲３'の制御は、９＞Ｂ≧７の範囲で行う。
【００４９】
＜発光装置の発光が許可されている場合＞
図３は、発光装置２４の発光許可が設定されている場合の露出制御を例示するプログラム線図である。本実施形態では、いわゆるスローシンクロ制御を行う。図３において、縦軸は被写体輝度（被写界の明るさ）を表し、横軸（上）は決定されるシャッタ速度を表し、横軸（下）は決定される撮像感度を表す点は図２と共通である。また、実線は撮影レンズ２１のズームレンズが広角側（ワイド端）に移動されている場合の制御例を、破線は撮影レンズ２１のズームレンズが望遠側（テレ端）に移動されている場合の制御例を、それぞれ表す。一点鎖線は、テレ端において防振機構がオンされている場合の制御を表す。
【００５０】
メインＣＰＵ１１は、図３に示す制御露出にしたがって撮影を行う際に、発光装置２４を所定光量で発光させる。所定光量の決定は、撮影前に発光装置を小光量で発光（プリ発光という）させて行う。具体的には、プリ発光時に撮像素子２２に調光用の撮像を行わせ、電荷蓄積後に出力される撮像信号の信号値を用いて撮影時に必要な発光量（本発光量）を決定する。主要被写体が電子カメラ１に近ければ主要被写体が遠い場合に比べて小さな発光量を必要とし、被写界が明るければ暗い場合に比べて小さな発光量を必要とし、撮像感度が低い場合は撮像感度が高い場合より大きな発光量を必要とすることから、メインＣＰＵ１１は、主要被写体までの距離情報、被写体輝度ＢＶ、および撮像感度を総合的に考慮して発光量を演算する。
【００５１】
図３に例示した制御と図２に例示した制御とは、シャッタ速度がＴ２より低輝度側（シャッタ速度としては低速側）の場合に相違するので、この相違点を中心に説明する。
１．ワイド端時の制御
広角側の制御のうち、図２と相違する点は以下の通りである。
（輝度範囲４Ａ）４＞Ｂ≧２
メインＣＰＵ１１は、輝度範囲４Ａでは、適正露出が得られるようにシャッタ速度を演算し、実線で示す制御値を得る。具体的にはＢ２〜Ｂ４の範囲において撮像感度を上記Ｓ１に維持し、シャッタ速度をＴ４から高輝度側（シャッタ速度としては高速側）のシャッタ速度Ｔ２まで明るさに応じて変化させることにより、制御露出を決定する。シャッタ速度Ｔ４は、感度Ｓ１および絞り開放時においてＢ２に対応する速度である。
【００５２】
（発光量の不足が見込まれる場合）
メインＣＰＵ１１は、撮像感度Ｓ１のままでシャッター速度をＴ４まで変化させても適正露出が得られない、すなわち、発光装置２４をフル発光（最大発光）させても主要被写体が暗い場合には、シャッタ速度をＴ４に維持し、適正露出に近づけるように撮像感度をＳ１から低輝度側（撮像感度としては高感度側）の制御限界値Ｓ３まで変化させることにより、制御露出を決定する。
【００５３】
２．テレ端時の制御
望遠側の制御のうち、図２と相違する点は以下の通りである。
（輝度範囲４Ａ'）５＞Ｂ≧３
メインＣＰＵ１１は、輝度範囲４Ａ'では、適正露出が得られるようにシャッタ速度を演算し、破線で示す制御値を得る。具体的にはＢ３〜Ｂ５の範囲において撮像感度を上記Ｓ１に維持し、シャッタ速度をＴ４から高輝度側（シャッタ速度としては高速側）のシャッタ速度Ｔ２まで明るさに応じて変化させることにより、制御露出を決定する。
【００５４】
（発光量の不足が見込まれる場合）
メインＣＰＵ１１は、撮像感度Ｓ１のままでシャッター速度をＴ４まで変化させても適正露出が得られない、すなわち、発光装置２４をフル発光（最大発光）させても主要被写体が暗い場合には、シャッタ速度をＴ４に維持し、適正露出に近づけるように撮像感度をＳ１から低輝度側（撮像感度としては高感度側）の制御限界値Ｓ３まで変化させることにより、制御露出を決定する。
【００５５】
以上説明した実施形態によれば、次の作用効果が得られる。
（１）明るさに応じてシャッタ速度および撮像感度のいずれか一方を制御する電子カメラ１は、シャッタ速度を手ぶれ限界秒時と呼ばれる露光時間に対応する速度より１段速いＴ１まで遅くしても露出が不足する場合に、シャッタ速度Ｔ１を維持して撮像感度を初期値Ｓ０より高くするようにした。シャッタ速度Ｔ１は手ぶれ限界秒時まで１段階の余裕があるので、手ぶれ発生を確実に抑えることができる。なお、Ｔ１の値を手ぶれ限界秒時に対応する速度より２段速い値にしても構わない。
【００５６】
（２）電子カメラ１は、撮像感度をＳ０からＳ１まで高めても露出が不足する場合に、撮像感度Ｓ１を維持してシャッタ速度をＴ１より遅くするようにした。撮像感度を限界値Ｓ３より低いＳ１に制限することにより、撮像感度をＳ１より高くする場合に比べて撮像信号に重畳するノイズを抑制することができる。つまり、画質低下を抑えることができる。
【００５７】
（３）電子カメラ１は、シャッタ速度を被写体ぶれ限界秒時と呼ばれる露光時間に対応する速度より１段速いＴ２まで遅くしても露出が不足する場合に、シャッタ速度Ｔ２を維持して撮像感度をＳ１より高くするようにした。シャッタ速度Ｔ２は被写体ぶれ限界秒時まで１段階の余裕があるので、被写体ぶれ発生を確実に抑えることができる。なお、Ｔ２の値を被写体ぶれ限界秒時に対応する速度より２段速い値にしても構わない。
【００５８】
（４）電子カメラ１は、撮像感度をＳ１からＳ２まで高めても露出が不足する場合に、撮像感度Ｓ２を維持してシャッタ速度をＴ２より遅くするようにした。撮像感度を限界値Ｓ３より低いＳ２に制限することにより、撮像感度をＳ２より高くする場合に比べて撮像信号に重畳するノイズを抑制することができる。つまり、画質低下を抑えることができる。
【００５９】
（５）電子カメラ１は、シャッタ速度を限界値Ｔ３まで遅くしても露出が不足する場合に、シャッタ速度Ｔ３を維持して撮像感度をＳ２より高くするようにした。最低速度（最長時間）に達した時点で撮像感度を限界値Ｓ３へ向けて変更可能とすることにより、より暗い条件での撮影に対応することができる。
【００６０】
（６）発光装置２４の発光が許可されている電子カメラ１は、シャッタ速度Ｔ２を維持して撮像感度をＳ１より高くすることなく、撮像感度Ｓ１のままでシャッタ速度をＴ２より遅くするようにした。主要被写体は発光装置２４からのフラッシュ光で照明されている時間（シャッタ秒時より短い）に露光されるため、シャッタ秒時が被写体ぶれ限界秒時より長くなっても被写体ぶれの影響が問題となりにくいからである。このようなスローシンクロ撮影を行うことにより、夜景を背景にしたフラッシュ撮影時に撮像信号に重畳するノイズを抑制することができる。
【００６１】
（７）発光装置２４の発光が許可されている電子カメラ１は、撮像感度Ｓ１を維持してシャッター速度をＴ４まで遅くしても適正露出が得られず、発光装置２４を最大発光させても主要被写体が暗い場合には、シャッタ速度をＴ４に維持して撮像感度をＳ１から限界値Ｓ３へ向けて変更可能とした。これにより、暗くて撮影距離が遠い条件での撮影に対応することができる。
【００６２】
（変形例１）
上述した説明では、明るさ情報を撮像素子２２からの撮像信号を用いて取得するようにしたが、撮像素子２２と別に測光用センサを設け、このセンサ出力を用いて明るさ情報を取得する構成にしてもよい。
【００６３】
（変形例２）
ＡＦ装置１８の構成は、撮像素子２２からの撮像信号を用いて焦点評価値と呼ばれるコントラスト情報を取得するＡＦ方式でも、撮影レンズ２１の透過光以外の光束を利用するもの（いわゆる外光式ＡＦ）であってもよい。また、焦点検出用の赤外光などを投射して焦点評価情報を取得するアクティブＡＦ方式で構成しても、赤外光などを投射することなく焦点評価情報を取得するパッシブＡＦ方式で構成してもよい。
【００６４】
（変形例３）
発光装置２４は、電子カメラ１に内蔵されるものの他、外付けタイプの発光装置を用いるように構成してもよい。
【００６５】
以上の説明はあくまで一例であり、上記の実施形態の構成に何ら限定されるものではない。
【図面の簡単な説明】
【００６６】
【図１】本発明の一実施形態である電子カメラの要部構成を説明するブロック図である。
【図２】発光装置が発光禁止されている場合の露出制御を例示する図である。
【図３】発光装置が発光許可されている場合の露出制御を例示する図である。
【符号の説明】
【００６７】
１…電子カメラ
１１…メインＣＰＵ
１７…操作部材
２１…撮影レンズ
２２…撮像素子
２４…発光装置
【図１】
2008193635.tif 000003
【図２】
2008193635.tif 000004
【図３】
2008193635.tif 000005